(57)【要約】【課題】薪ストーブについて、高含水率の燃えにくい薪を用いる場合でも大型化や高コスト化を伴うことなく高い燃焼効率を実現できるようにする。【解決手段】薪ストーブの排気通路開口部側に着脱可能な状態で付設され、薪ストーブの一次燃焼室から排出された燃焼ガスを再燃焼させる二次燃焼室２００を構成しながら接続した煙突４０に排気を送る副燃焼装置２Ａであって、その二次燃焼室２００が、薪ストーブから延設され先端に排気通路開口部を形成してなる煙突接続筒２５の外径よりも大きな内径を有しているとともに、その内壁には煙突接続筒２５を挿通させる挿通孔２０ｄ及び煙突側に連通する排気通路２５ａが開口していることを特徴とするものとした。【選択図】図２
0003192546.tif 000002
【実用新案登録請求の範囲】
【請求項１】
薪ストーブの排気通路開口部側に着脱可能な状態で付設され、前記薪ストーブの一次燃焼室から排出された燃焼ガスを再燃焼させる二次燃焼室を構成しながら接続した煙突に排気を送る副燃焼装置であって、前記二次燃焼室は、前記薪ストーブから延設され先端に前記排気通路開口部を形成してなる煙突接続筒の外径よりも大きな内径を有しており、その内壁には前記煙突接続筒を挿通させる挿通孔及び煙突側に連通する排気通路が開口している、ことを特徴とする薪ストーブの副燃焼装置。
【請求項２】
前記二次燃焼室から前記煙突に連通する排気通路の途中に、外部から開度を調整可能なダンパーが配設されている、ことを特徴とする請求項１に記載した薪ストーブの副燃焼装置。
【請求項３】
前記二次燃焼室の内部に、燃焼を促進させるための複数の孔を形成してなる燃焼促進板が配設されている、ことを特徴とする請求項１または２に記載した薪ストーブの副燃焼装置。
【請求項４】
前記二次燃焼室を内部に形成している筺体の外面に、空冷用のリブが複数条突設されている、ことを特徴とする請求項１，２または３に記載した薪ストーブの副燃焼装置。
【請求項５】
前記二次燃焼室を内部に形成している筺体は、その外周面の所定範囲が金属薄板からなる遮蔽体により所定の隙間を有して覆われている、ことを特徴とする請求項１，２，３または４に記載した薪ストーブの副燃焼装置。
【請求項６】
請求項１，２，３，４または５に記載した副燃焼装置を予め付設してなる薪ストーブ。
【考案の詳細な説明】
【技術分野】
【０００１】
本考案は、薪ストーブの副燃焼装置及びそれを備えた薪ストーブに関し、殊に、薪ストーブの排気孔開口部に付設されて二次燃焼室を構成する副燃焼装置、及びそれを付設してなる薪ストーブに関する。
【背景技術】
【０００２】
薪ストーブの燃料として用いる薪は、乾燥が不充分で含水率の高いものを用いるとその燃焼が不充分になりやすく、エネルギー効率が低下したり多量の煙を排出したりすることが知られている。そのため、例えば特許第５２８４５２０号に記載されているもののように、薪ストーブの本体内部を一次燃焼室と二次燃焼室に区画して排気の導線を長く確保することにより、一次燃焼室で生成された燃焼ガスを二次燃焼室でさらに燃焼させることが行われている。
【０００３】
しかし、このように予め二次燃焼室（副燃焼室）を本体内部に設けることは、薪ストーブの大型化や高コスト化を招く結果となりやすい。これに対し、特開２００７−２８５６６０号公報に記載のもののように、薪ストーブ本体の煙突を接続する排気孔開口部分を延長して二次燃焼室としたものが提案されており、薪ストーブ本体の大型化を招くことなく一次燃焼室で生成された燃焼ガスを二次的に燃焼可能としている。
【０００４】
しかしながら、この薪ストーブは、その二次燃焼室を構成している二次燃焼筒が本体部分と一体的に鋳造されたものであるため、その製造が容易ではなく高コスト化を招きやすい。また、二次燃焼室で燃焼ガスを完全燃焼させるためには、二次燃焼筒の表面温度が２５０〜５００度になるように高温で燃焼させる必要があるところ、鋳造による二次燃焼筒及びこれと一体となっている薪ストーブ本体の耐久性を確保することが容易ではない。
【０００５】
一方、二次燃焼室を有さずにコンパクトで安価な薪ストーブも近年普及しており、住宅密集地や集合住宅においても使用されるケースが増えている。ところが、このような普及型の薪ストーブでは、その本体内部における燃焼ガスの導線が短いために、量販店で販売されているような含水率の高い薪を使用した場合は、充分な燃焼効率を達成できずに多量の煙を排出してしまい、近所迷惑を招いてしまうという難点がある。そこで、このような普及型の薪ストーブに二次燃焼室を付設することも考えられるが、これを低コストかつ容易に実現させる方法は未だ提案されていないのが現状である。
【先行技術文献】
【特許文献】
【０００６】
【特許文献１】特許第５２８４５２０号
【特許文献２】特開２００７−２８５６６０号公報
【考案の概要】
【考案が解決しようとする課題】
【０００７】
本考案は、上記のような問題点を解決しようとするものであり、薪ストーブについて、含水率の高い燃えにくい薪を用いる場合でも、大型化や高コスト化を伴うことなく高い燃焼効率を実現できるようにすることを課題とする。
【課題を解決するための手段】
【０００８】
そこで、本考案は、薪ストーブの排気通路開口部側に着脱可能な状態で付設され、薪ストーブの一次燃焼室から排出された燃焼ガスを再燃焼させる二次燃焼室を構成しながら接続した煙突に排気を送る副燃焼装置であって、その二次燃焼室は、薪ストーブから延設され先端に排気通路開口部を形成してなる煙突接続筒の外径よりも大きな内径を有しており、その内壁には煙突接続筒を挿通させる挿通孔及び煙突側に連通する排気通路が開口している、ことを特徴とするものとした。
【０００９】
このように、二次燃焼室のない薪ストーブであっても、その排気通路開口部側に着脱自在に付設して二次燃焼室として機能させる構成の副燃焼装置としたことにより、大型化や高コスト化を伴うことなく二次燃焼室を備えた薪ストーブと同等の燃焼機能を発揮可能なものとなり、高含水率で燃えにくい薪を用いた場合でも高い燃焼効率を容易に実現できるものとなる。
【００１０】
また、この薪ストーブの副燃焼装置において、その二次燃焼室から煙突に連通する排気通路の途中に、外部から開度を調整可能なダンパーが配設されていることを特徴としたものとすれば、二次燃焼室における燃焼状態を適宜調整可能なものとなる。
【００１１】
さらに、上述した薪ストーブの副燃焼装置において、その二次燃焼室の内部に、燃焼を促進させるための複数の孔を形成してなる燃焼促進板が配設されている、ことを特徴としたものとすれば、さらに燃焼効率に優れたものとなる。
【００１２】
さらにまた、上述した薪ストーブの副燃焼装置において、その二次燃焼室を内部に形成している筺体の外面に、空冷用のリブが複数条突設されていることを特徴としたものとすれば、二次燃焼による熱エネルギーが室内の暖房に利用されやすくなるとともに、副燃焼装置の筺体が過剰に高温になることを回避しやすいものとなる。
【００１３】
加えて、上述した薪ストーブの副燃焼装置において、二次燃焼室を内部に形成している筺体は、その外周面の所定範囲が金属薄板からなる遮蔽体により所定の隙間を有して覆われている、ことを特徴としたものとすれば、二次燃焼により高温になった筺体の表面に直接触れて火傷を負うことを回避可能なものとなる。
【００１４】
そして、上述した薪ストーブの副燃焼装置を予め付設してなる薪ストーブとすれば、上述した機能をさらに容易に実現可能なものとなる。
【考案の効果】
【００１５】
薪ストーブの排気通路開口部側に着脱自在に付設して二次燃焼室とする方式の本考案によると、高含水率で燃えにくい薪を用いる場合でも、大型化や高コスト化を伴うことなく高い燃焼効率を実現できるものである。
【図面の簡単な説明】
【００１６】
【図１】本考案における第１の実施の形態を示す側面図である。
【図２】図１の副燃焼装置の部分拡大図である。
【図３】図２のＡ−Ａ線に沿う断面図である。
【図４】図３の副燃焼装置の応用例を示す断面図である。
【図５】（Ａ）は図３の副燃焼装置の他の応用例を示す断面図、（Ｂ）は（Ａ）の燃焼促進体の斜視図である。
【図６】本考案における第２の実施の形態を示す斜視図である。
【図７】本考案における第３の実施の形態を示す側面図である。
【図８】（Ａ）は図７の副燃焼装置の応用例を示す側面図、（Ｂ）は（Ａ）のＢ−Ｂ線に沿う断面図である。
【図９】（Ａ）は本考案における第４の実施の形態を示す正面図、（Ｂ）は（Ａ）の副燃焼装置の応用例を示す正面図、（Ｃ）は（Ｂ）の平面図である。
【図１０】横挿し用の煙突接続筒を有した蓋部を示す側面図である。
【図１１】縦挿し・横挿し兼用の煙突接続筒を備えた応用例を示す側面図である。
【考案を実施するための形態】
【００１７】
図１は、本考案における第１の実施の形態としての副燃焼装置２Ａを付設してなる薪ストーブ１Ａを示している。その副燃焼装置２Ａは、排気通路が先端側に開口した煙突接続筒１２が突設された薪ストーブ１Ａの天板１１上に着脱可能な状態で付設されており、薪ストーブ１Ａの一次燃焼室で生成・排出された燃焼ガスを内部の二次燃焼室に導入して再燃焼させながら、接続した煙突４０に排気を送る機能を発揮するものである。
【００１８】
図２は、副燃焼装置２Ａの部分拡大図であるが、その二次燃焼室２００は金属製の筺体２０の内側空間に形成されており、その筺体２０は、底面に煙突接続筒１２を下から挿通させる挿通孔２０ｄを有しているとともに、内側に煙突接続筒１２の外径よりも大きな内径の直方体状の空間を有しながら上面が開放してなる本体部２０ａと、上面側に煙突４０を接続させるための煙突接続筒２５を有して煙突４０側に排気通路２５ａを連通してなる蓋部２０ｂからなる。
【００１９】
図３の断面図を参照して、この副燃焼装置２Ａにおいては、筺体２０の挿通孔２０ｄ及び排気通路２５ａ開口部を除く内側面は、バーミキュライト等の耐熱性・断熱性に優れた素材からなる断熱板２１０，２２０，２３０で覆われており、筺体２０表面が過剰な高温になることを回避可能としている。また、蓋部２０ｂは、ネジ５２，５２で本体部２０ａに固定され、これを外すことで二次燃焼室２００内の清掃が容易に行えるものとしている。さらに、その本体部２０ａの底壁は、ネジ５１，５１で薪ストーブ２Ａの天板１１上面に着脱自在な状態で固定されており、薪ストーブ本体への着脱操作が容易に行えるようになっている。
【００２０】
このように、簡易な構成の副燃焼装置２Ａを、薪ストーブ１Ａの排気通路開口部である煙突接続筒１２の位置に接続・固定するだけで、二次燃焼室を有していない薪ストーブに二次燃焼室を設けることできることから、安価でコンパクトな普及型の薪ストーブを、大型化や高コスト化を伴うことなく燃焼効率に優れた薪ストーブに容易に改造することが可能なものとなる。
【００２１】
図４は、前述した副燃焼装置２Ａの応用例としての副燃焼装置２Ｂを縦断面図で示している。この応用例においては、その二次燃焼室２００から煙突４０に連通する排気通路２６ａの途中に、その開度を外部から調整できる開閉弁状のダンパー２６０が配設されている点を特徴としている。これにより、軸２６２の外部に露出した端部側のレバー２６３を操作することで、円盤状の弁体２６１の角度を変動させながら排気通路２６ａの開度を調整することができ、二次燃焼室２００における燃焼状態を外部から容易に調節可能としている。
【００２２】
図５（Ａ）は、副燃焼装置２Ａの他の応用例としての副燃焼装置２Ｃを縦断面図で示している。この応用例においては、二次燃焼室２００の内部に、図（Ｂ）に示す二次燃焼を促進させる燃焼促進板としてのプレート２４１を有した燃焼促進体２４０が配置されている点を特徴としている。そのプレート２４１は、金属板に複数の孔２４１ａが形成されて４本の脚で二次燃焼室２００内の所定高さ位置に支持されながら、二次燃焼の際にそれを促進させる触媒的な機能を発揮する。尚、この燃焼促進板２４１と同様のものを側面にも設けた燃焼促進体を用いても良く、また、斯かる燃焼促進体を前述した副燃焼装置２Ｂ内に配置しても良い。
【００２３】
図６は、本考案における第２の実施の形態の副燃焼装置２Ｄを示している。この実施の形態では、上述した副燃焼装置２Ａ，２Ｂ，２Ｃのいずれかにおいて、内部に二次燃焼室２００を有した筺体２０の外周面に空冷用のリブ２１０を複数条突設してなる筺体２１とした点を特徴としている。これにより、二次燃焼による熱エネルギーが各リブ２１０を介して室内の暖房に利用されやすくなって一層エネルギー効率に優れたものとなり、且つ、筺体２１の表面が過剰に高温になるのを回避して肌が触れた場合の火傷の発生を防止可能なものとなる。
【００２４】
図７は、本考案における第３の実施の形態の副燃焼装置２Ｅを示している。この実施の形態では、上述した副燃焼装置２Ａ，２Ｂ，２Ｃ，２Ｄのいずれかにおいて、その筺体２０，２１の外周面総てが金属薄板からなる遮蔽体２８０で所定の隙間を有して覆われている点を特徴としている。その遮蔽体２８０は、下部に内外に空気を流通させるための流通孔２８１が形成された帯状の金属薄板を、長手方向所定位置にて屈曲させて平面視ロ字状に形成してなるものである。
【００２５】
これにより、筺体外周面との間に所定の隙間を形成して外部に露出した表面部分が過剰に高温になることを回避することに加え、その下部に形成した複数の流通孔２８１を介して外部から導入した空気を筺体表面側で加温しながらその上端側から放出することから、高温の筺体に直接触れることを防止するとともに高い暖房効率を確保可能なものとしている。
【００２６】
図８（Ａ）は、前述した副燃焼装置２Ｅの応用例としての副燃焼装置２Ｆを示しており、図（Ｂ）はその縦断面図である。この応用例では、遮蔽体２９０の内側面に空気の流通方向を規制する案内板２９２が配設されており、図（Ｂ）に示すように、下部の流通孔２９１から導入した空気が筺体表面側で暖められて上昇する際に、外部空気を二次燃焼室内に導入するための導入管２９３の開口部に案内する点を特徴としている。
【００２７】
即ち、遮蔽体２９０の内側に配置した山形の案内板２９２により、外部空気を二次燃焼室内に効率的に導入して燃焼を促進するものであり、また、導入管２９３の挿入角度・開口位置と燃焼ガスの導入流路との位置関係により、内燃機関のキャブレターと同様の作用を発揮することから、外部空気がスムースに二次燃焼室内に吸引され、一層燃焼効率に優れたものとなっている。
【００２８】
図９（Ａ）は、本考案における第４の実施の形態である副燃焼装置２Ｇを示している。この実施の形態では、内部に二次燃焼室を有する筺体２２から上方に突設された煙突接続筒２７が大きく延長されており、これが煙突構成部材を予め接続したのと同様の形状となっている点を特徴としている。また、本実施の形態では、二次燃焼室とこれを備えた筺体２２がともに円柱状に形成されており、外観デザインを考慮したものとなっている。
【００２９】
図９（Ｂ）は、前述した副燃焼装置２Ｇの応用例としての副燃焼装置２Ｈを示しており、図（Ｃ）はその平面図である。この応用例では、前述した副燃焼装置２Ｇの筺体２２外周面を遮蔽体３００で覆っているとともに、遮蔽体３００下部に設けた流通孔３０５ごとに、筺体２２外周面と遮蔽体３００内周面との間に形成された空間をリブ３０３で区画した点を特徴としている。これにより、熱放射を行う表面積が増大して暖房効率に一層優れたものとなる。
【００３０】
尚、上述した総ての実施の形態において、図１０に示すような蓋体２０ｄを既存の蓋体に代えて使用すれば、横挿しの煙突４０にも容易に対応できるものとなる。この蓋体２０ｄは、その煙突接続筒２８の開口端が横向きとされて内部の排気通路が直角に屈曲しているものであるが、上述した縦挿し用の煙突接続筒を有した各蓋体と交換して使用することで、煙突４０の接続方向の切り替えを容易に行える点を特徴としている。
【００３１】
或いは、図１１に示す副燃焼装置２Ｉのように、上面と側面の両方に開口した排気通路を、蓋体を兼ねた煙突接続筒２９及び内面側に断熱材を貼付した蓋体２０ｅをネジで固定して塞ぐ方式とすれば、これらの固定位置を入れ替えるだけで煙突４０における横挿しと縦挿しの両方を容易に切り替えることが可能となる。
【００３２】
以上、述べたように薪ストーブについて、本考案を用いることにより高含水率の燃えにくい薪であっても、大型化や高コスト化を伴うことなく高い燃焼効率を実現できるようになった。
【符号の説明】
【００３３】
１Ａ  薪ストーブ、２Ａ，２Ｂ，２Ｃ，２Ｄ，２Ｅ，２Ｆ，２Ｇ，２Ｈ，２Ｉ  副燃焼装置、１２，２５，２６，２７，２８，２９  煙突接続筒、２０，２１  筺体、２０ａ  本体部、２０ｂ，２０ｃ，２０ｄ，２０ｅ  蓋体、２５ａ，２６ａ  排気通路、４０  煙突、２１０，３０３  リブ、２４０  燃焼促進体、２４１  プレート、２４１ａ  孔、２６０  ダンパー、２８０，２９０，３００  遮蔽体、２８１，２９１，３０５  流通孔
【図１】
0003192546.tif 000003
【図２】
0003192546.tif 000004
【図３】
0003192546.tif 000005
【図４】
0003192546.tif 000006
【図５】
0003192546.tif 000007
【図６】
0003192546.tif 000008
【図７】
0003192546.tif 000009
【図８】
0003192546.tif 000010
【図９】
0003192546.tif 000011
【図１０】
0003192546.tif 000012
【図１１】
0003192546.tif 000013